(57)【要約】      （修正有）【課題】小径ドリルや小径タップなどの細い棒状体を把持できる、取扱いが容易で安価なピンバイスを提供する。【解決手段】ピンバイス１は、小径の棒状体９を挿入可能なめくら穴を先端部から軸方向に沿って有するピンバイス本体２と、棒状体を把持するための複数の爪６を有するチャック５と、ピンバイス本体２の先端部外周面に着脱自在に取付け可能な取付け部により構成する。さらに、棒状体９は貫通するがチャック５は通り抜けない開口部を有するキャップ３とを備える。また、キャップ３は、その内部に開口部から取付け部に向けて内径が次第に大きくなるよう形成されたチャック収容部を備えている。チャック収容部にチャック５が爪６の先端を開口部に向けて収容されている。チャック５は、キャップ３をピンバイス本体２に取付けることにより、開口部に向けて移動可能である。【選択図】図３
0003175099.tif 000002
【実用新案登録請求の範囲】
【請求項１】
小径の棒状体を挿入可能なめくら穴を先端部から軸方向に沿って有するピンバイス本体と、前記棒状体を把持するための複数の爪を有するチャックと、当該ピンバイス本体の先端部外周面に着脱自在に取付け可能な取付け部を有するとともに、前記棒状体は貫通するがチャックは通り抜けない開口部を有するキャップとを備え、
前記キャップが、その内部に前記開口部から前記取付け部に向けて内径が次第に大きくなるよう形成されたチャック収容部を有し、
当該チャック収容部に前記チャックが爪の先端を開口部に向けて収容され、
当該チャックが、前記キャップをピンバイス本体に取付けることにより、開口部に向けて移動可能であることを特徴とするピンバイス。
【請求項２】
請求項１において、前記チャックが、爪を開くための弾性部材を備えていることを特徴とするピンバイス。
【請求項３】
請求項２において、前記チャック収容部に前記複数の爪が周方向に配置されていて、
前記弾性部材を複数備え、
当該各弾性部材によって、隣接する爪が周方向に互いに接続され、前記複数の爪が周方向に広がるように付勢されていることを特徴とするピンバイス。
【請求項４】
請求項２または３において、前記弾性部材がコイルばねであることを特徴とするピンバイス。
【請求項５】
請求項１〜４のいずれかにおいて、前記チャックの爪が３本であることを特徴とするピンバイス。
【考案の詳細な説明】
【技術分野】
【０００１】
本考案は、小径ドリルや小径タップなど、ピンのような細い棒を把持させるピンバイスに関する。
【背景技術】
【０００２】
ピンバイスは、たとえば精密部品・基盤・貴金属・装飾品・プラモデルなどの修理、加工用に使う小径ドリルや小径タップのような細い棒のホルダーとして使われるものである。一般に、細い棒を挿入する本体と、細い棒を把持する爪を備えたチャックと、チャックを締め付けるキャップとを有する。
【０００３】
従来のピンバイスは、例えば、筒状のピンバイス本体と、ピンバイス本体の先端部にネジ機構で着脱自在に取付け可能なキャップと、ピンバイス本体に挿入可能な四ツ爪コレットとからなる。四ツ爪コレットは、長手方向に延びる爪が両端部に４本ずつ形成されている。１本の四ツ爪コレットが異なる径のドリル（図示せず）を把持できるよう、両側にある爪は異なるサイズ（厚さ）に形成されている。キャップはその先端面に開口部を有する。開口部は、把持するドリルを通せるが四ツ爪コレットは通せないサイズに形成されている。さらに、爪の先端外側面は、先細りの曲面に仕上げられている。本体の反対側には、さらにサイズの異なる爪が両端部に形成された別の四ツ爪コレットが収容される収容穴が形成されている。
【０００４】
上記のピンバイスを使用するときは、四ツ爪コレットをピンバイス本体に挿入し、四ツ爪コレットの４本の爪の間にドリルを差し込み、キャップをドリル先端から通して本体にネジ機構で取付ける。このとき、キャップの開口部に爪の先端部が接触するが、４本の爪の先端外側面に曲面が形成されているので、キャップを回すにつれて４本の爪は中心に向けて押されることになり、把持したドリルを強く締め付けることができる。
【考案の概要】
【考案が解決しようとする課題】
【０００５】
従来のピンバイスは、四ツ爪コレットの片側の爪が把持できるドリルの径の範囲が狭かったため、２本の四ツ爪コレットからドリルの径に適合するサイズの爪を有する四ツ爪コレットを選択し、さらにそのサイズの爪がピンバイス本体の先端側になるように向きを確かめてから四ツ爪コレットをピンバイス本体に挿入しなくてはならなかった。したがって、使用中にドリルを交換するたびにドリルの径に適合するサイズの爪を正しく選択してピンバイス本体に装着する作業が必要とされ、取扱いが不便であった。また、２本の四ツ爪コレットの製造や交換用の四ツ爪コレットのための収納穴形成の必要があり、ピンバイスが高コストになっていた。
【０００６】
本考案は上述の点に鑑みてなされたもので、小径ドリルや小径タップなどの細い棒状体を把持できる、取扱いが容易で安価なピンバイスを提供することを目的とする。
【課題を解決するための手段】
【０００７】
上記の課題を解決するために、本考案に係るピンバイスは、小径の棒状体を挿入可能なめくら穴を先端部から軸方向に沿って有するピンバイス本体と、前記棒状体を把持するための複数の爪を有するチャックと、当該ピンバイス本体の先端部外周面に着脱自在に取付け可能な取付け部を有するとともに、前記棒状体は貫通するがチャックは通り抜けない開口部を有するキャップとを備え、
前記キャップが、その内部に前記開口部から前記取付け部に向けて内径が次第に大きくなるよう形成されたチャック収容部を有し、
当該チャック収容部に前記チャックが爪の先端を開口部に向けて収容され、
当該チャックが、前記キャップをピンバイス本体に取付けることにより、開口部に向けて移動可能であることを特徴とする。
【０００８】
このようなピンバイスであれば、キャップをピンバイス本体に回しながら取付けると、キャップに収容されたチャックが、ピンバイス本体の先端部に押されてチャック収容部内を開口部に向けて移動する。チャック収容部は開口部から離れるほど内径が大きくなるよう、すなわち、開口部に近づくほど内径が小さくなるよう形成されているので、開口部に向けて移動するチャックの複数の爪は、チャック収容部の内側面に接触して次第に中心に向けて閉じるように押される。このようにして、ピンバイスはチャックに通した棒状体を複数の爪で締め付けることができる。
【０００９】
上記のようなピンバイスでは、キャップ内に形成されたチャック収容部の内径が、開口部から離れるほど大きくなっているとともに、チャックがチャック収容部内で軸方向に移動できるので、チャックが開口部からキャップの取付け部に向けて離れるにつれて、チャック収容部にあるチャックの爪は半径方向に広がることが可能である。そのため、棒状体を径が大きいものに交換しても同一のチャックに通すことが可能になる。このように、考案のピンバイスは、棒状体を異なる径のものに交換するときのチャック交換を不要にする。その結果、ピンバイスの取扱いが容易になるうえ、安価なピンバイスを製造できる。
【００１０】
請求項２に係るピンバイスは、前記チャックが、爪を開くための弾性部材を備えていることを特徴とする。
【００１１】
チャックの爪が弾性部材によって開くと、キャップをピンバイス本体から外してピンバイス本体の先端部がチャックから離れたときに、チャックを開口部に向けて押していた力がなくなり、チャック収容部内でチャックはキャップの取付け部に向けて移動可能になる。弾性部材によって爪はチャック収容部の内側面を押し続けるが、チャック収容部は取り付け部に向けて広がっているので、チャックはチャック収容部の内側面を滑りながら取り付け部に接触して止まる。そのとき爪は最大限開いた状態になっている。このようなピンバイスであれば、径の大きい棒状体を容易に挿入することができて好都合である。
【００１２】
請求項３に係るピンバイスは、前記チャック収容部に前記複数の爪が周方向に配置されていて、前記弾性部材を複数備え、当該各弾性部材によって、前記複数の爪が周方向に互いに接続され、前記複数の爪が周方向に広がるように付勢されている。このような構造によって、爪の開閉を行ってもよい。
【００１３】
請求項４に記載のように、前記弾性部材がコイルばねであると好ましい。隣接する爪同士を互いにコイルばねで連結するだけで上記のピンバイスが実現できるので、安価なピンバイスになる。
【００１４】
考案のピンバイスは、請求項５に記載のように、前記チャックの爪が３本であることが好ましい。爪の数は２本や４本としてもよいが、従来の４本の爪より１本少なくすることにより、爪同士の間隔をより大きく確保することができ、より広い範囲のサイズの棒状体に対応できる。また、爪を２本にすると、爪が３本の場合に比べて、棒状体を安定的に把持することが難しい。
【考案の効果】
【００１５】
以上のように、本考案に係るピンバイスは、チャックを交換しなくても異なるサイズの棒状体を把持できるので、取扱いが容易で安価に製造できる。
【図面の簡単な説明】
【００１６】
【図１】図１（ａ）は本考案の一実施形態に係るピンバイス１の側面図、（ｂ）は正面図、（ｃ）は背面図である。
【図２】図２（ａ）はピンバイス本体２の一部分とキャップ３の縦断面図、（ｂ）はそのＢ−Ｂ線断面図である。
【図３】図３（ａ）はピンバイス１に太い径のドリルを把持させた斜視図、（ｂ）は細い径のドリルを把持させた斜視図である。
【考案を実施するための形態】
【００１７】
以下、本考案に係るピンバイスの実施形態を図面により説明するが、本考案はこの実施形態に限定されるものではない。
【００１８】
本考案によるピンバイス１は、図１・図２に示すように、金属製の円筒形ピンバイス本体２とキャップ３、およびキャップ３のチャック収容部４に収容された三ツ爪チャック５とからなる。ピンバイス本体２には、先端部から軸方向に沿ってドリル挿入部２ａを形成している。さらに、ピンバイス本体２の先端部外周面に設けたねじ部２ｂに、キャップ３の取付け部３ａ内周面に設けたねじ部３ｂを回し付けることにより、キャップ３をピンバイス本体２に着脱自在に取付けることができる。ピンバイス本体２は他方の端部にプラスチック製の押え部材８を回転自在に備えている。
【００１９】
キャップ３の先端に、ドリル９を通す開口部３ｃを設けている。その開口部３ｃと取付け部３ａの間に、開口部３ｃから取付け部３ａに向けて次第に内径が大きくなるチャック収容部４を形成し、三ツ爪チャック５を収容している。
【００２０】
三ツ爪チャック５は、図２に示すように、プラスチック製の３つの爪６と、隣接する爪６同士を連結する３本のコイルばね７とからなり、コイルばね７を圧縮した状態でチャック収容部４に収容している。爪６は先細りで、先端部分のみ開口部３ｃから突出する大きさに形成している。三ツ爪チャック５は、チャック収容部４内を軸方向へ移動可能で、コイルばね７によって爪６がチャック収容部４の内側面に押付けられているので、キャップ３をピンバイス本体２から外している状態では、図２（ａ）のようにチャック収容部４のうち一番内径の大きい取付け部３ａ側に移動している。
【００２１】
キャップ３をピンバイス本体２に取付けることにより、三ツ爪チャック５はピンバイス本体２に押されて開口部３ｃに向けて移動する。爪６の先端部が開口部３ｃに近づくにつれてチャック収容部４の内径が小さくなるので、３つの爪６が互いに接近し、爪６の間に挿入したドリル９を締め付けることができる。ドリルの径によって、締め付けたときの三ツ爪チャック５の位置は異なる。太いドリルを挿入した場合と細いドリルを挿入した場合のピンバイス１を図３（ａ）・（ｂ）に示す。図示のように、爪６が開口部３ｃから突出する長さは、ドリルの太さによって異なる。
【００２２】
ピンバイス１では、上記のように開口部３ｃから取付け部３ａに向けて次第に内径が大きくなるチャック収容部４を形成しているので、三ツ爪チャック５が収容される空間が大きくて爪６を十分広げることができる。したがって、Φ０．３ｍｍ〜３．２ｍｍの小径ドリルや小径タップなどの細い棒状体であれば、チャックを別のサイズのものに交換せずに把持させることができる。
【００２３】
なお、ピンバイス１は、ピンバイス本体２の端部に設けた回転自在のプラスチック製の押え部材８に手指をかけたままピンバイス本体２を回転させることができるので、工作対象にドリル９を押し当てながら穴開け作業を行うことができる。
【００２４】
以上のとおり、図面を参照しながら本考案の好適な実施形態を説明したが、本考案の趣旨を逸脱しない範囲内で、種々の追加、変更または削除が可能である。とくに、ピンバイスの各構成要素の材質や外観、寸法、形状等はこの限りでない。また、爪の本数は３本に限らず、２本や４本、それ以上の本数としてもよい。したがって、そうしたものも本考案の範囲内に含まれる。
【符号の説明】
【００２５】
１  ピンバイス
２  ピンバイス本体
２ａ  ドリル挿入部
２ｂ  ねじ部
３  キャップ
３ａ  取付け部
３ｂ  ねじ部
３ｃ  開口部
４  チャック収容部
５  三ツ爪チャック（チャック）
６  爪
７  コイルばね
８  押え部材
９  ドリル（棒状体）
【図１】
0003175099.tif 000003
【図２】
0003175099.tif 000004
【図３】
0003175099.tif 000005